(57)【要約】【課題】本体装置に付属装置が接続されていない場合でも誤動作をしない画像記録装置に接続して使用する付属装置を提供する。【解決手段】本体装置１はプラグを介して外部（商用系統）から供給される交流電力を直流電力に変換する第１電源３を有し、付属装置２は外部（商用系統）の第２電源に接続するプラグを有している。本体装置に付属装置が取り付けられると、本体装置の第１電源３から付属装置２の異常検知回路１９と制御回路１４に電力が供給され、異常検知回路１９と制御回路１４が作動する。異常がないことが確認されると、制御回路１４はスイッチ１５を接続状態にしてヒータ１６に外部（商用系統）の第２電源から交流電力を供給し、付属装置２は稼働する。また、本体装置１は付属装置２が取りはずされた状態でも単独で動作できる。また、付属装置２は単独では動作しないので誤動作をしない。【選択図】図１
2004284172.tif 000002
【特許請求の範囲】
【請求項１】
画像記録装置に接続して使用する付属装置であって、
外部から供給された電力によって駆動される負荷と、
前記負荷への電力の供給を制御する電力制御手段と、
を備えており、
前記電力制御手段に、前記接続された画像記録装置から電力が供給されていることを特徴とする画像記録装置に接続して使用する付属装置。
【発明の詳細な説明】
【０００１】
【発明の属する技術分野】
本発明は、本体装置と本体装置に接続して使用する付属装置とから構成される装置に関し、特に、付属装置が接続されていない状態でも使用可能な本体装置と本体装置に接続されてのみ使用可能な付属装置に関する。
【０００２】
【従来の技術】
従来、本体装置に接続可能であり、本体装置と連動して動作する付属装置を駆動するための電源は、本体装置を介して付属装置に与えられ、本体装置の電源のオンオフに連動して付属装置の電源もオンオフされる構成となっているものが多い。また、このような構成でない場合には、本体装置と付属装置の電源はそれぞれ独立に得るように構成されている。
【０００３】
【発明が解決しようとする課題】
しかしながら、前者の構成では、本体装置の電源入力部は、自ら消費する本体装置部分の消費電力と付属装置で消費する消費電力の和に対応したものを用意しなければならなかった。そのため、付属装置を接続せずに本体装置のみを使用する場合を考えると、付属装置の消費電力が本体装置の消費電力に対して無視できないほど大きい場合、あるいは付属装置が本体装置以上に電力を消費するような装置の場合には、本体装置に不要に大きな容量を有する電源部を用意しなければならないと言う問題があった。
【０００４】
また後者の構成では、本体装置と付属装置用の電源は独立しているため、本体装置から分離された状態でも付属装置は電源を得ることが可能である。しかしながら、本体装置から付属装置を分離した状態で付属装置を使用しようとすると、付属装置は本来、本体装置との連動を前提とし作動するように構成されているため、本体装置が分離された状態では付属装置が誤動作する可能性があった。
【０００５】
本発明は、上記説明した従来技術の問題点を解決するためになされたものであり、その目的は、画像記録装置に接続して使用する付属装置において、画像記録装置に付属装置が接続されていない場合に、誤動作をしない付属装置を提供することである。
【０００６】
【課題を解決するための手段】
上記目的を達成するための本発明に係る一実施形態の付属装置は、以下の構成を有する。すなわち、画像記録装置に接続して使用する付属装置であって、外部から供給された電力によって駆動される負荷と、前記負荷への電力の供給を制御する電力制御手段と、を備えており、前記電力制御手段に、前記接続された画像記録装置から電力が供給されていることを特徴とする。
【０００７】
【発明の実施の形態】
本発明は、画像記録装置に接続して使用する付属装置であって、外部から供給された電力によって駆動される負荷と、負荷への電力の供給を制御する電力制御手段と、を備えており、電力制御手段に、接続された画像記録装置から電力が供給されていることを特徴とする付属装置として実施可能である。
【０００８】
このような発明は、具体的に願書に添付する図面に示す構成および処理において、以下の実施形態と対応して実現できる。
【０００９】
＜第１の実施形態＞
以下、本発明の実施形態の画像記録装置に接続して使用する付属装置を図面を参照して詳細に説明する。
【００１０】
本明細書において、「記録」（「印字」、「印刷」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００１１】
また、「記録媒体」とは、一般的な記録装置で用いられる紙のみならず、広く、布、プラスチック・フィルム、金属板、ガラス、セラミックス、木材、皮革等、インクを受容可能なものも示すものとする。
【００１２】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を示すものとする。
【００１３】
［本体装置に付属装置を取り付けたときの電気構成、構成：図１、２］
図１は、本発明の第１の実施形態に係る本体装置１であるインクジェットプリンタに、着脱可能な付属装置２を取り付けた状態における電気構成を示す概略図である。なお以下の説明では、付属装置の一例として、印字紙乾燥装置を用いて説明する。
【００１４】
図２は、第１の実施形態の付属装置２である印字紙乾燥装置を本体装置１であるインクジェットプリンタに取り付けた状態における構成を示す概略図である。
【００１５】
図１、図２において、１はインクジェットプリンタ（本体装置）を示しており、２は印字紙乾燥装置（付属装置）であり、付属装置２は、本体装置１に機械的接続手段によって取り付けた時に本体装置１と電気的に連動して動作するように構成されている。このインクジェットプリンタ１（本体装置）と印字紙乾燥装置２（付属装置）との電気的な接続には、例えば、ＵＳＢケーブルが使用され、インクジェットプリンタ１（本体装置）から印字紙乾燥装置２（付属装置）への電力の供給が可能である。
【００１６】
なお、以下の説明では、本発明に直接関わらないインクジェットプリンタ、乾燥装置の機構部分等については、図示および説明を割愛する。
【００１７】
３はインクジェットプリンタ１の電源部であって、外部よりＡＣ入力を得て、制御回路と各種アクチュエータ類を動作させるＤＣ電源出力を供給するＤＣ電源である。４は前記ＤＣ電源に接続され、そのオン／オフを切り替えるスイッチであり、５はＤＣ電源４よりのＤＣ入力により動作するインクジェットプリンタ１の制御回路であって、後述の記録ヘッド６、主走査モータ７、副走査モータ８等々の制御を行い、不図示のホストマシンより与えられる印字データに基づき、画像を形成する。
【００１８】
６は記録ヘッド、７は記録ヘッド６を搭載したキャリッジ９を主走査させるための主走査駆動モータ、８は印字用紙を給排紙、副走査させるための副走査駆動モータ、９は記録ヘッド６を搭載し、印字用紙送り方向と直交した方向に主操作を行うキャリッジ、１０は印字用紙、１１は装填された印字用紙１０を１枚ずつ印字部へ給紙するための給紙部、１２は副走査駆動モータ８に駆動され、印字用紙１０を副走査する副走査ローラ、１３は副走査駆動モータ８に駆動され、印字用紙１０を副走査ローラ１２とともに印字終了後、印字済み印字用紙１０を印字部より排紙する排紙ローラである。
【００１９】
１４は印字紙乾燥装置の制御回路であり、後述のサーミスタ１７等のセンス信号と本体装置であるインクジェットプリンタ１の制御回路５よりの信号に基づき、乾燥ヒータ１６、用紙搬送モータ等を制御する。１５はヒータ制御用に設けられたスイッチ手段であるところのトライアック、１６は用紙乾燥のための熱源であるところのヒータであって、ＡＣ電源によって駆動され、トライアック１５を介して制御回路１４により制御される。
【００２０】
１７はヒータ１６を内蔵する乾燥ローラ１８の温度を検知するためのサーミスタであって、その出力は制御回路１４とともに、異常検知回路１９に入力される。２０は電源入力部に設けられたＡＣフィルタ、２１はＡＣ入力を遮断するリレーであって、インクジェットプリンタ１より電源を供給され、異常検知回路１９により制御される。２２は異常検知回路１９の信号によりリレーのオンオフを行うスイッチ手段であるところのトランジスタ、２３は印字乾燥装置内の用紙の搬送駆動を行うための搬送モータ、２４は搬送モータ２３を制御回路１４の信号に従いオンオフするスイッチ手段であるトランジスタである。
【００２１】
２５は本体であるインクジェットプリンタ１から印字後排出される印字用紙を給紙、印字乾燥装置内搬送を行う搬送ローラであり、乾燥ローラ１８へ搬送する。
【００２２】
［インクジェットプリンタ（本体装置）の制御構成：図３］
次に、上述したインクジェットプリンタの記録制御構成について説明する。
【００２３】
図３は本体装置であるインクジェットプリンタの制御回路５および関連各部の構成を示すブロック図である。同図において、１７００は記録信号を入力するインターフェース、１７０１はＭＰＵ、１７０２はＭＰＵ１７０１が実行する制御プログラムを格納するＲＯＭである。
【００２４】
１７０３は受信データや画像データなどの格納に使用するＤＲＡＭである。１７０４は記録ヘッド６に対する記録データの供給制御を行うゲートアレイ（Ｇ．Ａ．）であり、インターフェース１７００、ＭＰＵ１７０１、ＲＡＭ１７０３間のデータ転送制御も行う。
【００２５】
８は記録ヘッド６を搬送するためのキャリアモータ、７は記録紙搬送のための搬送モータである。１７０５は記録ヘッドを駆動するヘッドドライバ、１７０６，１７０７はそれぞれ搬送モータ１７０９、キャリアモータ１７１０を駆動するためのモータドライバである。
【００２６】
上記制御構成の動作を説明すると、インターフェース１７００に記録信号が入るとゲートアレイ１７０４とＭＰＵ１７０１との間で記録信号がプリント用の記録データに変換される。そして、モータドライバ１７０６、１７０７が駆動されると共に、ヘッドドライバ１７０５に送られた記録データに従って記録ヘッドが駆動され、記録が行われる。
【００２７】
［印字紙乾燥装置（付属装置）の制御構成］
次に、上述した印字紙乾燥装置の制御構成について説明する。
【００２８】
印字紙乾燥装置の制御回路１４は、図３のプリンタ制御回路と類似した構成であり、不図示のＭＰＵ、不図示のＭＰＵが実行する各種プログラムを格納するＲＯＭおよび不図示のＲＯＭ等から構成されている。不図示のＲＯＭには、図４，図５，図８に示す本発明の制御プログラムが格納されている。
【００２９】
不図示のＭＰＵは、不図示のＲＯＭに格納された制御プログラムに基づいて、異常検知回路１９，サーミスタ１７，トライアック１５、トランジスタ２４，トランジスタ２２、ＡＣ入力遮断用リレー２１等を制御しながら、乾燥ヒータ１６および搬送モータ２３を制御してインクジェットプリンタで画像記録され、印字紙乾燥装置に搬送されてくる記録媒体を乾燥してから排出する。
【００３０】
［本体装置に付属装置を取り付けたときの記録動作：図４］
以上のような構成において、本体装置であるインクジェットプリンタ１に付属装置である印字用紙乾燥装置２を取り付けたときの記録動作について図４のフローチャートを用いて説明する。
【００３１】
なお、図４の処理は、インクジェットプリンタのプリンタ制御回路５がＲＯＭ１７０２に格納された制御プログラムに基づいてインクジェットプリンタの各部を制御しながら記録媒体に画像記録し、印字用紙乾燥装置に記録した記録媒体を搬送する処理（ステップＳ４０９〜４１０）と、印字用紙乾燥装置（付属装置）２の制御回路１４が不図示のＲＯＭに格納された制御プログラムに基づいて印字用紙乾燥装置の各部を制御しながらインクジェットプリンタで画像記録された記録媒体を乾燥してから排出するまでの処理（ステップＳ４０１〜４０８およびステップＳ４１１〜４１２）をまとめて示したものである。
【００３２】
以下、図４の処理について説明する。
【００３３】
まず、ステップＳ４００において、印字用紙乾燥装置２がインクジェットプリンタ１に装着され、印字用紙乾燥装置２およびインクジェットプリンタ１のプラグ３０、プラグ３１が商用系統に接続されて、交流（ＡＣ）電力が印字用紙乾燥装置２およびインクジェットプリンタ１に供給される。その後、インクジェットプリンタ１の電源スイッチ４がオンされると、ステップＳ４０１〜ステップＳ４０５の処理が行われる。
【００３４】
すなわち、インクジェットプリンタ１のＤＣ電源３は、プラグ３１から供給される交流電力を直流電力に変換し、そのＤＣ出力をプリンタ制御回路５に供給するとともに、印字用紙乾燥装置２との接続部を介して印字用紙乾燥装置２の制御回路１４、異常検知回路１９、搬送モータ２４端子、リレー２１用の電源端子へＤＣ出力を供給する。このインクジェットプリンタ１（本体装置）と印字紙乾燥装置２（付属装置）との電気的な接続には、例えば、ＵＳＢケーブルが使用される。
【００３５】
このＤＣ出力が供給されることにより、印字用紙乾燥装置２の各回路は機能し、異常検知回路１９はサーミスタ１７が出力する温度信号をモニタし（ステップＳ４０１）、異常が無い、即ち温度が設定温度に対して異常に高温でないことを検出すると（ステップＳ４０２）、あるいは、制御回路１４がトライアック１５に与えるオン信号等をモニタし（ステップＳ４０３）、所定時間以上オン状態が継続等の機器として異常な故障等の状態に無いことを検出すると（ステップＳ４０４）、ＡＣ入力遮断用リレー２１のオンスイッチであるトランジスタ２２をオンにして、ＡＣ入力遮断用リレー２１をオンにする。ＡＣ入力遮断用リレー２１がオンされることにより、ＡＣフィルタ２０を介して外部（商用系統）より供給される交流（ＡＣ）電力を乾燥ヒータ１６及びそのスイッチ手段であるところのトライアック１５に供給する（ステップＳ４０５）。
【００３６】
印字用紙乾燥装置２の制御回路１４は、乾燥ローラ１８の温度検出手段であるサーミスタ１７の温度信号を検出しながら、所定温度になるようヒータ１６にそのスイッチ手段トライアック１５をオンオフ制御し、温度制御を行う（ステップＳ４０６）。所定温度に達すると（ステップＳ４０７）、プリンタ制御回路５はインクジェットプリンタ１の制御回路５に準備完了信号を与える（ステップＳ４０８）。
【００３７】
インクジェットプリンタ１の制御回路５は不図示のホストマシンより与えられる画像データを受信すると（ステップＳ４０９）、受信した画像データに基づき給紙部１１より給紙した印字用紙１０上に、キャリッジ９を主走査駆動モータ７にて駆動し、主走査を行いながら記録ヘッドに印字信号を与え、その後印字用紙１０を副走査ローラ１２、排紙ローラ１３を介して副走査駆動モータ８により副走査方向に所定量搬送、これを繰り返し、画像を形成後、排出する（ステップＳ４１０）。
【００３８】
印字紙乾燥装置２はインクジェットプリンタ１の排出に合わせて、搬送ローラ２５を搬送駆動モータ２３にて駆動させ（ステップＳ４１１）、インクジェットプリンタ１より排出された印字された用紙１０を取り込み、乾燥ヒータ１６により所定温度に加温された乾燥ローラ１８へ送り込み、搬送駆動モータ２３にて駆動される乾燥ローラ１８に挟み込み加熱、乾燥しながら印字用紙１０を搬送、排出する（ステップＳ４１２）。
【００３９】
本体装置であるインクジェットプリンタ１と取り付け可能な付属装置である印字紙乾燥装置は、装着された状態で以上のような動作を行う。
【００４０】
［本体装置から付属装置を取りはずしたときの記録動作：図５］
次に、本体装置から付属装置を取りはずしたときの記録動作について述べる。
【００４１】
なお、図５の処理は、インクジェットプリンタのプリンタ制御回路５がＲＯＭ１７０２に格納された制御プログラムに基づいてインクジェットプリンタの各部を制御しながら行う。
【００４２】
まず、ステップＳ５００において、インクジェットプリンタ１のプラグ３１が商用系統に接続されて、交流（ＡＣ）電力がインクジェットプリンタ１に供給される。その後、インクジェットプリンタ１の電源スイッチ４がオンされると、ステップＳ５００〜ステップＳ５０２の処理が行われる。
【００４３】
すなわち、電源スイッチ４がオンされると、交流（ＡＣ）電力がＤＣ電源３によって直流電力に変換され、直流（ＤＣ）出力をプリンタ制御回路５に供給する。この電源（第１電源：直流電力）が供給されることによりプリンタ制御回路５は機能を開始する。
【００４４】
インクジェットプリンタ１の制御回路５は不図示のホストマシンより与えられる画像データを受信すると（ステップＳ５０１）、画像データに基づき、給紙部１１より給紙した印字用紙１０上に、キャリッジ９を主走査駆動モータ７にて駆動し、主走査を行いながら記録ヘッドに印字信号を与え、その後印字用紙１０を副走査ローラ１２、排紙ローラ１３を介して副走査駆動モータ８により副走査方向に所定量搬送、これを繰り返し、画像を形成後、排出する（ステップＳ５０２）。
【００４５】
なお、インクジェットプリンタ本体１から取り外された印字紙乾燥装置２の制御回路１４、異常検知回路１９は、インクジェットプリンタ本体１より供給されるＤＣ電源（第１電源：直流電力）にて動作する。そのため、インクジェットプリンタ本体１から取り外されると、制御回路１４、異常検知回路１９は、ＤＣ電源がインクジェットプリンタ本体１より供給されないために動作しない。
【００４６】
また、印字紙乾燥装置２の搬送モータ２３も印字紙乾燥装置２の制御回路１４の動作の如何に関わらず、その駆動用電源がインクジェットプリンタ本体１から供給されないがゆえに動作しない。
【００４７】
一方、乾燥ヒータ１６の駆動電力は、電源（商用系統：第２電源）であるＡＣ入力（交流電力）は、インクジェットプリンタ１のＤＣ電源（第１電源：直流電力）とは独立に得られる構成ゆえに、ＡＣフィルタ２０を介して供給されるが、次段のＡＣ入力遮断用リレー２１の動作電源がインクジェットプリンタ本体１より供給されるがゆえに、印字紙乾燥装置２がインクジェットプリンタ本体１から取り外されたた状態では、ＡＣ入力遮断用リレー２１はオンされず、以降の制御素子であるトライアック１５、乾燥ヒータ１６には一切電源は供給されない。
【００４８】
したがって、インクジェットプリンタ本体１から印字紙乾燥装置２を取り外しても、印字紙乾燥装置２には駆動用の電力がインクジェットプリンタ本体１から供給されないため印字紙乾燥装置２は作動しないため、誤動作を起こすことはない。
【００４９】
このように、本発明の第１の実施形態の画像記録装置に接続して使用する付属装置では、機械的接続手段によって画像記録装置と接続され、電力制御手段へ供給される電力が、該機械的接続手段を介して行われることが好ましい。
【００５０】
また例えば、電力制御手段は、負荷の状態を検知する検知手段と、外部から供給された電力の負荷への供給経路に設けられ、該経路の導通状態を切り換えるスイッチと、検知手段の信号に応じて、スイッチの導通状態を制御する制御手段と、を備えることが好ましい。
【００５１】
また例えば、画像記録装置から供給される電力は、直流電力であり、負荷には交流電力が供給されることが好ましい。
【００５２】
また例えば、付属装置は、画像記録装置で記録された記録媒体を乾燥する乾燥装置であることが好ましい。
【００５３】
また例えば、制御手段は、検知手段によって検知された負荷の温度が設定温度以上の場合に、あるいは、検知手段によって検知された負荷への供給経路に設けられスイッチの導通状態が所定時間以上継続している場合に、負荷への電力の供給を停止することが好ましい。
【００５４】
また、本発明は、画像記録装置に接続して使用する付属装置の制御方法であって、付属装置は、外部から供給された電力によって駆動される負荷と、負荷への電力の供給を制御する電力制御手段と、を備えており、付属装置を画像記録装置に接続する接続工程と、接続された画像記録装置から電力制御手段に対して電力を供給する電力供給工程と、を有することを特徴とする。
【００５５】
以上説明した本実施形態に対応する本発明の画像記録装置に接続して使用する付属装置は、本体装置に付属装置を接続可能であり、本体装置は適切な容量の電源を備えているため、本体装置に付属装置が接続されたとき付属装置に必要な駆動用電力を供給できる。また、本体装置に付属装置が接続されていない場合でも本体装置を正常に動作することができるとともに付属装置には駆動用の電力が本体装置から供給されないため付属装置の誤動作を防止できる。
【００５６】
＜第２の実施形態＞
［本体装置に付属装置を取り付けたときの電気構成、構成：図６、７］
図６は、本発明の第２の実施形態に係る本体装置３１であるインクジェットプリンタに、着脱可能な付属装置３２を取り付けた状態における電気構成を示す概略図である。なお以下の説明では、付属装置の一例として、印字紙乾燥装置を用いて説明する。
【００５７】
図７は、第２の実施形態の付属装置３２である印字紙乾燥装置を本体装置３１であるインクジェットプリンタに取り付けた状態における構成を示す概略図である。
【００５８】
図６、図７において、３１はインクジェットプリンタ（本体装置）を示しており、３２は印字紙乾燥装置（付属装置）であり、付属装置３２は、本体装置３１に取り付けた時に本体装置３１と連動して動作するように構成されている。
【００５９】
なお、以下の説明では、本発明に直接関わらないインクジェットプリンタ、乾燥装置の機構部分等については、図示および説明を割愛する。
【００６０】
なお、図６、図７において、第１の実施形態の図１、図２と同様の構成は同一番号にて示すこととする。
【００６１】
３は本体装置であるインクジェットプリンタ３１の電源部であって、外部よりＡＣ入力を得て、制御回路と各種アクチュエータ類を動作させるＤＣ電源出力を供給するＤＣ電源である。４は前記ＤＣ電源に接続され、そのオン／オフを切り替えるスイッチであり、５はＤＣ電源４よりのＤＣ入力により動作するインクジェットプリンタ１の制御回路であって、後述の記録ヘッド６、主走査モータ７、副走査モータ８等々の制御を行い、不図示のホストマシンより与えられる印字データに基づき、画像を形成する。
【００６２】
６は記録ヘッド、７は記録ヘッド６を搭載したキャリッジ９を主走査させるための主走査駆動モータ、８は印字用紙を給排紙、副走査させるための副走査駆動モータ、９は記録ヘッド６を搭載し、印字用紙送り方向と直交した方向に主操作を行うキャリッジ、１０は印字用紙、１１は装填された印字用紙１０を１枚ずつ印字部へ給紙するための給紙部、１２は副走査駆動モータ８に駆動され、印字用紙１０を副走査する副走査ローラ、１３は副走査駆動モータ８に駆動され、印字用紙１０を副走査ローラ１２とともに印字終了後、印字済み印字用紙１０を印字部より排紙する排紙ローラである。
【００６３】
１４は印字紙乾燥装置の制御回路であり、後述のサーミスタ１７等のセンス信号と本体装置であるインクジェットプリンタ３１の制御回路５よりの信号に基づき、乾燥ヒータ１６、用紙搬送モータ等を制御する。１５はヒータ制御用に設けられたスイッチ手段であるところのトライアック、１６は用紙乾燥のための熱源であるところのヒータであって、ＡＣ電源によって駆動され、トライアック１５を介して制御回路１４により制御される。
【００６４】
１７はヒータ１６を内蔵する乾燥ローラ１８の温度を検知するためのサーミスタであって、その出力は制御回路１４に入力される。２０は電源入力部に設けられたＡＣフィルタ、３４はＡＣ入力を遮断するリレーであって、インクジェットプリンタ３１より電源を供給され、制御回路１４により制御される。２３は印字乾燥装置内の用紙の搬送駆動を行うための搬送モータ、２４は搬送モータ２３を制御回路１４の信号に従いオンオフするスイッチ手段であるトランジスタである。
【００６５】
２５は本体であるインクジェットプリンタ３１から印字後排出される印字用紙を給紙、印字乾燥装置３２内で搬送を行う搬送ローラであり、乾燥ローラ１８へ搬送する。
【００６６】
３３は印字紙乾燥装置３２の電源部であって、外部（商用系統）よりＡＣ入力をプラグ３０ａ、ＡＣフィルタ２０、リレー３４を介して得て、この交流電力を直流電力変換し、ＤＣ電源出力を制御回路１４と搬送駆動モータ２３に供給してそれらを動作させるＤＣ電源である。
【００６７】
２５は本体であるインクジェットプリンタ３１から印字後排出される印字用紙を給紙、印字乾燥装置３２内の搬送を行う搬送ローラであり、乾燥ローラ１８へ搬送する。
【００６８】
［本体装置に付属装置を取り付けたときの記録動作：図８］
以上のような構成において、本体装置であるインクジェットプリンタ３１に付属装置である印字用紙乾燥装置３２を取り付けたときの記録動作について図８のフローチャートを用いて説明する。
【００６９】
なお、図８の処理は、インクジェットプリンタ３１のプリンタ制御回路５がＲＯＭ１７０２に格納された制御プログラムに基づいてインクジェットプリンタの各部を制御しながら記録媒体に画像記録し、印字用紙乾燥装置に記録した記録媒体を搬送する処理（ステップＳ８０６〜８０７）と、印字用紙乾燥装置（付属装置）２の制御回路１４が不図示のＲＯＭに格納された制御プログラムに基づいて印字用紙乾燥装置の各部を制御しながらインクジェットプリンタ３１で画像記録された記録媒体を乾燥してから排出するまでの処理（ステップＳ８０１〜８０５およびステップＳ８０８〜８０９）をまとめて示したものである。
【００７０】
以下、図８の処理について説明する。
【００７１】
まず、ステップＳ８００において、印字用紙乾燥装置３２がインクジェットプリンタ３１に装着され、印字用紙乾燥装置３２およびインクジェットプリンタ３１のプラグ３０ａ、プラグ３０ｂが商用系統に接続されて、交流（ＡＣ）電力が印字用紙乾燥装置３２およびインクジェットプリンタ３１に供給される。その後、インクジェットプリンタ３１の電源スイッチ４がオンされると、ステップＳ８０１〜ステップＳ８０５の処理が行われる。
【００７２】
すなわち、インクジェットプリンタ３１のＤＣ電源３は、プラグ３０ｂから供給される交流電力を直流電力に変換し、そのＤＣ出力をプリンタ制御回路５に供給するとともに、印字用紙乾燥装置３２との接続部を介して印字用紙乾燥装置３２の制御回路１４、搬送モータ２４端子、ＡＣ入力遮断用リレー３４用の電源端子へＤＣ出力を供給する。
【００７３】
この電源が供給されることにより印字用紙乾燥装置３２の制御回路１４は機能し、リレー３４は電源供給によりオンされることにより、プラグ３０ａ、ＡＣフィルタ２０を介して外部（商用系統）より供給されるＡＣ入力を印字紙乾燥装置３２のＤＣ電源３３と、乾燥ヒータ１６及びそのスイッチ手段であるところのトライアック１５に供給する（ステップＳ８０１）。
【００７４】
ＤＣ電源３３より電源供給を受け、印字用紙乾燥装置３２の制御回路１４は乾燥ローラ１８の温度検出手段であるサーミスタ１７の温度信号を検出しながら（ステップＳ８０１）、所定温度になるようヒータ１６にそのスイッチ手段トライアック１５をオンオフ制御し、温度制御を行う（ステップＳ８０２〜８０３）。所定温度に達すると（ステップＳ８０４）、インクジェットプリンタ３１の制御回路５に準備完了信号を与える（ステップＳ８０５）。
【００７５】
インクジェットプリンタ３１の制御回路５は不図示のホストマシンより画像データを受信すると（ステップＳ８０６）、受信した画像データに基づき、給紙部１１より給紙した印字用紙１０上に、キャリッジ９を主走査駆動モータ７にて駆動し、主走査を行いながら記録ヘッドに印字信号を与え、その後印字用紙１０を副走査ローラ１２、排紙ローラ１３を介して副走査駆動モータ８により副走査方向に所定量搬送、これを繰り返し、画像を形成後、排出する（ステップＳ８０７）。
【００７６】
印字紙乾燥装置３２はインクジェットプリンタ３１の排出に合わせて、搬送ローラ２５を搬送駆動モータ２３にて駆動させ、インクジェットプリンタ１より排出された印字された用紙１０を取り込み（ステップＳ８０８）、乾燥ヒータ１６により所定温度に加温された乾燥ローラ１８へ送り込み、搬送駆動モータ２３にて駆動される乾燥ローラ１８に挟み込み加熱、乾燥しながら印字用紙１０を搬送、排出する（ステップＳ８０９）。
【００７７】
本体装置であるインクジェットプリンタ３１と着脱可能な付属装置である印字紙乾燥装置３２は装着された状態では以上のような動作を行う。
【００７８】
［本体装置から付属装置を取りはずしたときの記録動作：図５］
次に、本体装置から付属装置を取りはずしたときの記録動作について述べる。
【００７９】
なお、図５の処理は、インクジェットプリンタ３１のプリンタ制御回路５がＲＯＭ１７０２に格納された制御プログラムに基づいてインクジェットプリンタの各部を制御しながら行う。
【００８０】
まず、ステップＳ５００において、インクジェットプリンタ３１のプラグ３０ｂが商用系統に接続されて、交流（ＡＣ）電力がインクジェットプリンタ３１に供給される。その後、インクジェットプリンタ３１の電源スイッチ４がオンされると、ステップＳ５００〜ステップＳ５０２の処理が行われる。
【００８１】
すなわち、電源スイッチ４がオンされると、交流（ＡＣ）電力がＤＣ電源３によって直流電力に変換され、直流（ＤＣ）出力をプリンタ制御回路５に供給する。このＤＣ電源３（第１電源：直流電力）が供給されることによりプリンタ制御回路５は機能を開始する。
【００８２】
インクジェットプリンタ３１の制御回路５は不図示のホストマシンより与えられる画像データを受信すると（ステップＳ５０１）、画像データに基づき、給紙部１１より給紙した印字用紙１０上に、キャリッジ９を主走査駆動モータ７にて駆動し、主走査を行いながら記録ヘッドに印字信号を与え、その後印字用紙１０を副走査ローラ１２、排紙ローラ１３を介して副走査駆動モータ８により副走査方向に所定量搬送、これを繰り返し、画像を形成後、排出する（ステップＳ５０２）。
【００８３】
なお、インクジェットプリンタ本体３１から取り外された印字紙乾燥装置３２の制御回路１４は、ＤＣ電源３３（第３電源：直流電力）にて動作する。しかし、ＤＣ電源３３（第３電源：直流電力）は、インクジェットプリンタ３１のＤＣ電源３（第１電源：直流電力）から電力を供給を受けてＡＣ入力遮断用リレー３４がオンとなってはじめて動作する。そのため、インクジェットプリンタ本体３１から取り外されると、ＤＣ電源３３（第３電源：直流電力）には交流電力が供給されないため、ＤＣ電源３３からの電力の供給を受けて駆動する制御回路１４も動作しない。
【００８４】
また、印字紙乾燥装置３２の搬送モータ２３も印字紙乾燥装置３２の制御回路１４の動作の如何に関わらず、その駆動用電源がインクジェットプリンタ本体３１から供給されないがゆえに動作しない。
【００８５】
一方、乾燥ヒータ１６の駆動電力は、電源（商用系統：第２電源）であるＡＣ入力（交流電力）は、インクジェットプリンタ３１のＤＣ電源３（第１電源：直流電力）とは独立に得られる構成ゆえに、プラグ３０ａ、ＡＣフィルタ２０を介して供給されるが、次段のＡＣ入力遮断用リレー３４の動作電源がインクジェットプリンタ本体３１より供給されるがゆえに、印字紙乾燥装置３２がインクジェットプリンタ本体３１から取り外されたた状態では、ＡＣ入力遮断用リレー３４はオンされず、以降の制御素子であるトライアック１５、乾燥ヒータ１６には一切電源は供給されない。
【００８６】
したがって、インクジェットプリンタ本体３１から印字紙乾燥装置３２を取り外すと、印字紙乾燥装置３２には駆動用の電力がインクジェットプリンタ本体３１から供給されないため、印字紙乾燥装置２は作動しないことから、誤動作を起こすことはない。
【００８７】
このように、本発明の第２の実施形態の画像記録装置に接続して使用する付属装置では、電力制御手段は、負荷の温度を検知するための温度検知手段と、外部から供給された交流電力を変換して直流電力を生成する電力変換手段と、外部から供給された交流電力の負荷への経路に設けられ、該経路の導通状態を切り換えるスイッチと、温度検知手段の信号に応じてスイッチの導通状態を制御する制御手段と、を備えることが好ましい。
【００８８】
また例えば、制御手段は、電力変換手段と接続され、電力変換手段から電力が供給されることが好ましい。
【００８９】
また例えば、付属装置は、画像記録装置で記録された記録媒体を乾燥する乾燥装置であることが好ましい。
【００９０】
以上説明した本実施形態に対応する本発明の画像記録装置に接続して使用する付属装置は、本体装置に付属装置を接続可能であり、本体装置および付属部は適切な容量の電源を備えているため、本体装置に付属装置が接続されたとき付属装置に必要な駆動用電力を供給できる。また、本体装置に付属装置が接続されていない場合でも本体装置を正常に動作することができるとともに付属装置には駆動用の電力が本体装置から供給されないため付属装置の誤動作を防止できる。
【００９１】
【他の実施形態】
なお、本発明は、システム、装置、方法、プログラムもしくは記憶媒体などとしての実施態様を取ることも可能であり、具体的には、複数の機器（例えばホストコンピュータ，インターフェース機器，リーダ，プリンタなど）から構成されるシステムに適用しても、一つの機器からなる装置（例えば、複写機，ファクシミリ装置など）に適用してもよい。
【００９２】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００９３】
この場合、記憶媒体から読出されたプログラムコード自体が前述した実施形態の機能を実現することになり、そのプログラムコードを記憶した記憶媒体は本発明を構成することになる。
【００９４】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００９５】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００９６】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００９７】
本発明を上記記憶媒体に適用する場合、その記憶媒体には、先に説明した（図４，５、８に示す）フローチャートに対応するプログラムコードが格納されることになる。
【００９８】
【発明の効果】
以上説明したように、本発明の画像記録装置に接続して使用する付属装置は、画像記録装置に接続されていない場合には、動作しない。そのため、画像記録装置に接続されていない状態で誤動作しない付属装置を提供することができる。
【図面の簡単な説明】
【図１】本発明の第１の実施形態の付属装置である印字紙乾燥装置を接続可能な本体装置であるインクジェットプリンタに接続した状態の電気構成を示す概略図である。
【図２】本発明の第１の実施形態の付属装置である印字紙乾燥装置を接続可能な本体装置であるインクジェットプリンタに接続した状態の構成を示す概略図である。
【図３】インクジェットプリンタの制御回路と関連各部の構成を示すブロック図である。
【図４】インクジェットプリンタに印字用紙乾燥装置を接続したときの記録動作を説明するフローチャートである。
【図５】インクジェットプリンタに印字用紙乾燥装置を接続しないときの記録動作を説明するフローチャートである。
【図６】本発明の第２の実施形態の付属装置である印字紙乾燥装置を接続可能な本体装置であるインクジェットプリンタに接続した状態の電気構成を示す概略図である。
【図７】本発明の第２の実施形態の付属装置である印字紙乾燥装置を接続可能な本体装置であるインクジェットプリンタに接続した状態の構成を示す概略図である。
【図８】インクジェットプリンタに印字用紙乾燥装置を接続したときの記録動作を説明するフローチャートである。
【符号の説明】
１‥‥本発明第１の実施形態のインクジェットプリンタ本体
２‥‥本発明第１の実施形態の印字紙乾燥装置
３‥‥本発明第１の実施形態のインクジェットプリンタ本体電源部
４‥‥インクジェットプリンタ本体電源スイッチ
５‥‥インクジェットプリンタ本体制御回路
６‥‥インクジェットプリンタ記録ヘッド
７‥‥インクジェットプリンタ本体主走査駆動モータ
８‥‥インクジェットプリンタ本体副走査駆動モータ
９‥‥インクジェットプリンタ本体印字キャリッジ
１０‥印字用紙
１１‥インクジェットプリンタ本体給紙部
１２‥インクジェットプリンタ副走査ローラ
１３‥インクジェットプリンタ本体排紙ローラ
１４‥印字紙乾燥装置制御回路
１５‥印字紙乾燥装置ヒータ制御用トライアック。
１６‥印字紙乾燥装置用紙乾燥用ヒータ。
１７‥印字紙乾燥装置乾燥ローラ温度検知用サーミスタ
１８‥印字紙乾燥装置乾燥ローラ
１９‥印字紙乾燥装置異常検知回路
２０‥印字紙乾燥装置ＡＣ入力フィルタ
２１‥本発明第１の実施形態の印字紙乾燥装置ＡＣ入力遮断リレー
２２‥印字紙乾燥装置ＡＣ入力遮断リレースイッチ用トランジスタ
２３‥印字紙乾燥装置用紙搬送モータ、
２４‥印字紙乾燥装置搬送モータスイッチ用トランジスタ
２５‥印字紙乾燥装置用紙搬送ローラ
３１‥本発明第２の実施形態のインクジェットプリンタ本体
３２‥本発明第２の実施形態の印字紙乾燥装置
３３‥本発明第２の実施形態の印字紙乾燥装置電源部
３４‥本発明第２の実施形態の印字紙乾燥装置ＡＣ入力遮断リレー
【図１】
2004284172.tif 000003
【図２】
2004284172.tif 000004
【図３】
2004284172.tif 000005
【図４】
2004284172.tif 000006
【図５】
2004284172.tif 000007
【図６】
2004284172.tif 000008
【図７】
2004284172.tif 000009
【図８】
2004284172.tif 000010